【手続補正書】
【提出日】平成16年8月24日(2004.8.24)
【手続補正１】
【補正対象書類名】明細書
【補正対象項目名】発明の名称
【補正方法】変更
【補正の内容】
【発明の名称】デジタルデータの保存方法、保存装置、再生装置および記録媒体
【手続補正２】
【補正対象書類名】明細書
【補正対象項目名】特許請求の範囲
【補正方法】変更
【補正の内容】
【特許請求の範囲】
【請求項１】
デジタルデータのうち一部のデジタルデータに対して暗号化を施し、
この暗号化を施した暗号デジタルデータと、暗号化を施さない非暗号デジタルデータとを保存する
ことを特徴とするデジタルデータの保存方法。
【請求項２】
請求項１に記載のデジタルデータの保存方法において、
上記暗号化を施す部分のデータサイズは、上記デジタルデータのデータサイズよりも十分に小さい
ことを特徴とするデジタルデータの保存方法。
【請求項３】
請求項１に記載のデジタルデータの保存方法において、
上記デジタルデータを所定のデータサイズに分割し、
分割されたデジタルデータごとに、その一部のデジタルデータに対して暗号化を施して暗号デジタルデータを得る
ことを特徴とするデジタルデータの保存方法。
【請求項４】
請求項１に記載のデジタルデータの保存方法において、
上記暗号デジタルデータの位置を示す情報を、上記暗号デジタルデータおよび非暗号デジタルデータとともに保存する
ようにしたデジタルデータの保存方法。
【請求項５】
請求項４に記載のデジタルデータの保存方法において、
上記暗号デジタルデータの位置を示す情報を暗号化し、この暗号化された位置情報を、上記暗号デジタルデータおよび非暗号デジタルデータとともに保存する
ようにしたデジタルデータの保存方法。
【請求項６】
デジタルデータのうち一部のデジタルデータに対して暗号化を施す暗号化手段と、
上記暗号化手段により暗号化を施した暗号デジタルデータと、暗号化を施さない非暗号デジタルデータとを保存する保存手段と
を備えることを特徴とするデータ保存装置。
【請求項７】
請求項６に記載のデータ保存装置において、
上記暗号化手段が暗号化を施す部分のデータサイズは、上記デジタルデータのデータサイズよりも十分に小さい
ことを特徴とするデータ保存装置。
【請求項８】
請求項６に記載のデータ保存装置において、
デジタルデータを所定のデータサイズに分割する分割手段を備え、
上記暗号化手段は、上記分割手段により分割されたデジタルデータごとに、その一部のデジタルデータに対して暗号化を施して暗号デジタルデータを得る
ことを特徴とするデータ保存装置。
【請求項９】
請求項６に記載のデータ保存装置において、
上記保存手段は、上記暗号デジタルデータの位置を示す情報を、上記暗号デジタルデータおよび非暗号デジタルデータとともに保存する
ことを特徴とするデータ保存装置。
【請求項１０】
請求項９に記載のデータ保存装置において、
上記暗号デジタルデータの位置を示す情報を暗号化して暗号位置情報を得る第２の暗号化手段を備え、
上記第２の暗号化手段により得られた上記暗号位置情報を、上記暗号デジタルデータおよび非暗号デジタルデータとともに保存する
ことを特徴とするデータ保存装置。
【請求項１１】
デジタルデータのうち一部のデジタルデータに対して暗号化を施して得られた暗号デジタルデータと、暗号化を施さない非暗号デジタルデータとが記録されている
ことを特徴とする記録媒体。
【請求項１２】
請求項１１に記載の記録媒体において、
上記暗号化を施した部分のデータサイズは、上記デジタルデータのデータサイズよりも十分に小さい
ことを特徴とする記録媒体。
【請求項１３】
請求項１１に記載の記録媒体において、
上記デジタルデータは所定のデータサイズに分割され、
分割されたデジタルデータごとに、その一部のデジタルデータに対して暗号化を施した暗号デジタルデータが記録されている
ことを特徴とする記録媒体。
【請求項１４】
請求項１１に記載の記録媒体において、
上記暗号デジタルデータの位置を示す情報が、上記暗号デジタルデータおよび非暗号デジタルデータとともに記録されている
ことを特徴とする記録媒体。
【請求項１５】
請求項１４に記載の記録媒体において、
上記暗号デジタルデータの位置を示す情報を暗号化し、この暗号化された位置情報が、上記暗号デジタルデータおよび非暗号デジタルデータとともに記録されている
ことを特徴とする記録媒体。
【請求項１６】
暗号化を施された暗号デジタルデータと、暗号化を施されていない非暗号デジタルデータとからなるデジタルデータを入力する入力手段と、
上記入力手段で入力されるデジタルデータから上記暗号デジタルデータを取り出して、この暗号デジタルデータを復号化する復号手段と、
上記復号手段で復号化された復号デジタルデータと、上記デジタルデータから取り出される上記非暗号デジタルデータとを再生データとして出力する再生手段と
を備えることを特徴とするデータ再生装置。
【請求項１７】
請求項１６に記載のデータ再生装置において、
上記デジタルデータは、所定のデータサイズごとに上記暗号デジタルデータと上記非暗号デジタルデータとからなり、
上記復号手段は、上記所定のデータサイズごとに上記暗号デジタルデータを取り出して、この暗号デジタルデータを復号化する
ことを特徴とするデータ再生装置。
【請求項１８】
請求項１６に記載のデータ再生装置において、
上記入力手段は、上記デジタルデータとともに、上記暗号デジタルデータの位置を示す情報を取り込み、
上記復号手段は、上記取り込まれた位置情報に基づいて上記暗号デジタルデータを取り出して復号化する
ことを特徴とするデータ再生装置。
【請求項１９】
請求項１８に記載のデータ再生装置において、
上記暗号デジタルデータの位置を示す情報を暗号化した暗号位置情報を復号化する第２の復号手段をさらに備え、
上記入力手段は、上記デジタルデータとともに、上記暗号位置情報を取り込み、
上記復号手段は、上記第２の復号手段で復号化された上記暗号デジタルデータの位置を示す情報に基づいて上記暗号デジタルデータを取り出して復号化する
ことを特徴とするデータ再生装置。
【手続補正３】
【補正対象書類名】明細書
【補正対象項目名】０００１
【補正方法】変更
【補正の内容】
【０００１】
この発明は、オーディオ信号などのデジタルデータを保存および再生するための技術に関する。
【手続補正４】
【補正対象書類名】明細書
【補正対象項目名】００１０
【補正方法】変更
【補正の内容】
【００１０】
【課題を解決するための手段】
この発明においては、
内容が時間とともに変化するデジタルデータに対して、所定の時間ごとに所定の期間ずつ部分的に暗号化を行うとともに、
この暗号化部分の期間の上記所定の時間に対する割り合いが十分に小さくなるように上記暗号化を行い、
この暗号化のされたデジタルデータを保存する
ようにしたデジタルデータの保存方法
とするものである。  
したがって、デジタルデータを不正に再生した場合には、暗号化部分がノイズとして再生される。
【手続補正５】
【補正対象書類名】明細書
【補正対象項目名】００２１
【補正方法】変更
【補正の内容】
【００２１】
一方、オーディオサーバ３０に保存されているデジタルオーディオデータを使用する場合には、まず、認証回路４３により出力装置２０に対する認証処理が行われる。そして、その認証処理の結果、出力装置２０が正当な出力装置のときには、ＨＤＣ３７を通じてＨＤＤ３８から目的とするデジタルオーディオデータが読み出され、この読み出されたデジタルオーディオデータが復号化回路４２に供給され、周期Ｔごとの期間τの暗号化部分が復号化されてもとのデジタルオーディオデータが取り出され、このデジタルオーディオデータが出力インターフェイス回路３６を通じて出力装置２０に供給され、音響として再生される。
【手続補正６】
【補正対象書類名】明細書
【補正対象項目名】００２２
【補正方法】変更
【補正の内容】
【００２２】
なお、出力装置２０に対する認証処理の結果、その出力装置２０が正当な出力装置ではないときには、ＨＤＤ３８からのデジタルオーディオデータの読み出しは行われず、したがって、出力装置２０へのデジタルオーディオデータの出力は許可されない。